(57)【要約】      （修正有）【課題】内部に容れられる水を活性化させることによって水が変質されることを防止することができ、水の味を軟らかくしてくれるのみならず飲み物が人体により速く吸収されることができる麦閃石クラスター原石を有する飲み物容器を提供する。【解決手段】所定の収容空間を有する飲み物容器において、飲み物容器の本体１０の内部または外部のいずれか一方に天然麦閃石原石２０を設けてなり、内部に容れられた水を活性化させることにより悪臭を無くし、水の味を軟らかくしてくれるのみならず、飲み物が人体により速く吸収されるようにする。【選択図】図１
0003116355.tif 000002
【実用新案登録請求の範囲】
【請求項１】
所定の収容空間を有する飲み物容器において、
前記容器本体の内部または外部のいずれか一方に天然麦閃石クラスター原石を設けてなることを特徴とする、飲み物容器。
【請求項２】
前記麦閃石クラスター原石が容器の内部底面に置かれ、容器の注入口には容器の内部に置かれた麦閃石クラスター原石が排出されることを防止するための篩い手段が設けられることを特徴とする、請求項１に記載の飲み物容器。
【請求項３】
前記麦閃石クラスター原石が環状に形成され、容器の外部下段に嵌められ、容器の外部下段には前記環状の麦閃石クラスター原石が離脱されることを防止するための固定具がさらに設けられることを特徴とする、請求項１または２に記載の飲み物容器。
【請求項４】
前記麦閃石クラスター原石が円板形状に形成され、容器の底面に着脱可能に設けられ、容器の底面には前記円板形状の麦閃石クラスター原石が離脱されることを防止するための固定具がさらに設けられることを特徴とする、請求項１または２に記載の飲み物容器。
【請求項５】
前記篩い手段が、多数の通水孔が形成された篩い網の周縁部を注水口の外側に向かって曲げ、その内面に取っ手溝を形成して構成されることを特徴とする、請求項２に記載の飲み物容器。
【考案の詳細な説明】
【技術分野】
【０００１】
本考案は飲み物、特に水を容れる飲み物容器に関するものであって、より詳しくは内部に容れられた水を活性化させることにより悪臭を無くし、水の味を軟らかくするのみならず、飲み物が人体により速く吸収されることができる麦閃石クラスター原石を有する飲み物容器に関するものである。
【背景技術】
【０００２】
技術の発達につれて自然はますます荒廃されつつあり、水もさらにその汚染の程度が深刻になっている。
【０００３】
かくして汚染された水が人体に吸収されると、人体の抗菌性を落とさせて多くの疾病を起こすようになる原因となり得る。
【０００４】
従って、水に対する関心はますます高まっており、浄水機、浄化施設を始めた多様な浄化施設及び手段が開発され用いられており、浄水された水を供給する水の供給業まで急増している状態である。
【０００５】
しかしながら、このように供給される水は浄水した後に通常の容器に保管して供給されることで所定時間が過ぎると水質が変わるという問題があった。
【考案の開示】
【考案が解決しようとする課題】
【０００６】
本考案は前記のような従来の問題点を改善するために案出されたものであって、容れられる水を活性化させることによって水が変質されることを防止することができ、水の味を軟らかくしてくれるのみならず飲み物が人体により速く吸収されることができる麦閃石クラスター原石を有する飲み物容器を提供することを目的とする。
【課題を解決するための手段】
【０００７】
前記のような本考案の目的は所定の収容空間を有する飲み物容器において、前記容器の本体の内部または外部のいずれか一方に天然麦閃石クラスター原石を設けてなることを特徴とする、飲み物容器によって達成される。
【考案の効果】
【０００８】
本考案による麦閃石クラスター原石を有する飲み物容器は、その内部に容れられた飲み物を活性化させて水が変質されることを防止することができ、水の味を軟らかくしてくれるのみならず、飲み物が人体により速く吸収できるようにする効果がある。
【考案を実施するための最良の形態】
【０００９】
以下、添付された図面に基づいて、本考案による麦閃石クラスター原石を有する飲み物容器の実施例を詳細に説明すると、次の通りである。
【００１０】
図１は本考案による麦閃石クラスター原石を有する飲み物容器の一例を示した斜視図であり、図２は図１に示した飲み物容器の断面図であり、図３は本考案による麦閃石クラスター原石を有する飲み物容器の他の一例を示した斜視図であり、図４は図３に示した飲み物容器の断面図であり、図５は本考案による麦閃石クラスター原石を有する飲み物容器のもう他の一例を示した斜視図であり、図６は図５に示した飲み物容器の断面図である。
【００１１】
図に示されるように、本考案による麦閃石クラスター原石を有する飲み物容器は、容器本体１０の内部または外部のいずれか一方に麦閃石クラスター２０を備えている。
【００１２】
前記麦閃石クラスター原石は蛇紋岩、角閃石とが含有されたものであり、８〜１１μｍの遠赤外線を９０％以上放射するものが原石として用いられ、容器本体１０に設けられ、容器の内部に容れられる水を活性化させる。
【００１３】
前記麦閃石クラスター原石２０は容器本体１０の内部または外部のいずれか一方に設けられる。設けられる位置によって多様に変形し得ることは本考案の属する技術分野に従事する者には容易にわかることである。
【００１４】
前記麦閃石クラスター原石２０を容器の内部に設ける場合は、容器の内部のいずれの一箇所に固定させるより、容器の内部底面に自在に放置するのが、以後洗滌して用いられる点で望ましい。この場合はその形状が円板形状乃至楕円板形状または碁石状で作られる。
【００１５】
前記のように容器本体１０の内部に置かれる形態で麦閃石クラスター原石２０を設ける場合は、飲み物を飲むとき容器から麦閃石クラスター原石２０が排出されることを防止するために容器本体１０の上段注入口に篩い手段１２を設ける。
【００１６】
前記のように篩い手段１２が設けられた容器を図１及び図２に示した。
【００１７】
前記篩い手段１２は、中央に多数の通水孔が形成された篩い網１２ａが形成され、その周縁部を注入口の外側に向かって曲げ、その内壁に取っ手溝１２ｂを形成して構成されたものであり、このように取っ手溝１２ｂを形成することによって篩い手段１２を注入口から容易に分離することができるようにした。
【００１８】
前記麦閃石クラスター原石２０は図３及び図４に示したように環状に形成することもできる。
【００１９】
このように環状に形成された麦閃石クラスター原石２０は容器本体１０の下部または中段の外周面に嵌設され、容器本体１０の外周面に嵌められた環状の麦閃石クラスター原石２０が容器本体１０から分離されることを防止するための手段として固定具３０が設けられる。
【００２０】
前記固定具３０は示したように容器の外周面に形成された係止溝１０ａに挿入される係止段差３１がその上段に形成されたもので、その形状は容器本体１０の下部と同一であるが、その内周面が環状の麦閃石クラスター原石２０の外周面と同一且つ多少大きくて麦閃石クラスター原石２０の外周面を覆うように設けられる。
【００２１】
また、他の態様において、前記麦閃石クラスター原石２０は図５及び図６に示したように容器本体１０の外部底面に設けられる。
【００２２】
このように麦閃石クラスター原石２０を容器本体１０の外部底面に設ける場合には、容器本体１０の底面の形状と同一の形状で形成され、かかる構造で設けられる場合にも麦閃石クラスター２０を底面に固定させるための固定具３０が設けられ、該固定具３０の形状も前記のように容器本体の下部と同一の形状を有するが、その内周面が容器本体１０の外周面に密着された状態となる程度の大きさを有する。
【００２３】
本考案は特定の実施例に連関して図示し説明したが、本考案の請求の範囲によって規定される本考案の精神および範囲を逸脱しない限り、本考案が多様に改造及び変化することができるということは当業界で通常の知識を有している者であれば容易にわかることである。
【図面の簡単な説明】
【００２４】
【図１】本考案による麦閃石クラスター原石を有する飲み物容器の一例を示した斜視図である。
【図２】図１に示した飲み物容器の断面図である。
【図３】本考案による麦閃石クラスター原石を有する飲み物容器の他の一例を示した斜視図である。
【図４】図３に示した飲み物容器の断面図である。
【図５】本考案による麦閃石クラスター原石を有する飲み物容器のもう他の一例を示した斜視図である。
【図６】図５に示した飲み物容器の断面図である。
【符号の説明】
【００２５】
１０：容器の本体          １０ａ：係止溝
１１：蓋                  １２：篩い手段
１２ａ：篩い網            １２ｂ：取っ手溝
２０： 麦閃石クラスター原石 
３０：固定具              ３１：係止段差
【図１】
0003116355.tif 000003
【図２】
0003116355.tif 000004
【図３】
0003116355.tif 000005
【図４】
0003116355.tif 000006
【図５】
0003116355.tif 000007
【図６】
0003116355.tif 000008